(57)【要約】 【課題】  ゴミ箱の設置が大がかりでなく且つ高コストにならず、また、如何なる路面条件であったとしても転倒することなく見栄え良く設置でき、更に、既設の自動販売機にも比較的簡単に設置できる自動販売機用のゴミ箱保持具を提供すること。【解決手段】  自動販売機８の側方にゴミ箱９を取り付けるためのゴミ箱保持具Ｓであって、自動販売機８の底面８１と対面する座板１０及び自動販売機８の側面８０と対面する背板１１を有するＬ字状の基板１と、前記座板１０の下面に垂設され且つネジ対偶により伸縮できる脚部２と、前記背板１１に設けられ且つゴミ箱８を吊り下げるための吊り下げ部３とを具備している。【選択図面】  図３
2006011559.tif 000002
【特許請求の範囲】
【請求項１】
自動販売機の側方にゴミ箱を取り付けるためのゴミ箱保持具であって、自動販売機の底面と対面する座板及び自動販売機の側面と対面する背板を有するＬ字状の基板と、前記座板の下面に垂設され且つネジ対偶により伸縮できる脚部と、前記背板に設けられ且つゴミ箱を吊り下げるための吊り下げ部とを具備していることを特徴とすることを特徴とする自動販売機用のゴミ箱保持具。
【請求項２】
自動販売機の側方にゴミ箱を取り付けるためのゴミ箱保持具であって、自動販売機の底面と対面する座板及び自動販売機の側面と対面する背板を有するＬ字状の基板と、前記座板の下面に垂設され且つネジ対偶により伸縮できる脚部と、前記背板に設けられ且つゴミ箱の胴部を保持する保持部を設けてあることを特徴とする自動販売機用のゴミ箱保持具。
【請求項３】
保持部より下方に位置する背板部分に載置板を設けてあることを特徴とする請求項２記載の自動販売機用のゴミ箱保持具。
【請求項４】
基板を自動販売機の底面から側面にかけて接するようにセッティングし、下端部が設地した脚部を伸長させて座板を自動販売機の底面に押し付ける態様で、基板を自動販売機に固定することを特徴とする請求項１乃至３のいずれかに記載の自動販売機用のゴミ箱保持具。
【発明の詳細な説明】
【技術分野】
【０００１】
この発明は、清涼飲料水、酒類、お菓子等の自動販売機に関し、特に自動販売機用のゴミ箱保持具に関するものである。
【背景技術】
【０００２】
自動販売機は、大部分の販売物が時間に関係なく購入できることから、老若男女を問わず、その利用者は非常に多い。近年は国外、首都圏内・外を問わずあらゆる所に設置されており、設置台数は国内だけでも５００万台以上と言われている。
【０００３】
このように、自動販売機は、その便利さから非常に人気があるが、その反面、自動販売機の存在自体を疑問視する声も聞かれる。その理由は、以下の（１）（２）に示すようなことが多い。
（１）自動販売機の設置場所が必ずしも平面上の安定した場所であるわけではなく、このためゴミ箱が設置されていない場合がある。このような場合、販売対象が飲料水である場合には、空き缶や空になったペットボトルがその周辺に置かれたり、投げ捨てられたりするため、近所からの苦情も非常に多い。
（２）強風や地震等により簡単にゴミ箱が転倒して、その内部のゴミが近辺に散乱し、自動販売機付近だけでなく、かなり離れた場所までもゴミが散乱することがある。
【０００４】
そこで、企業側としても上記問題を解決するため、自動販売機内にゴミ箱を有するものを提案している（例えば、特許文献１。）が、この形態では自動販売機の構造が大がかりになると共に高コストとなるので、その設置台数や設置場所は限られていた。
【０００５】
また、既設の自動販売機に新たにゴミ箱を不用意に転倒しないように取り付けることは困難であり、たとえできたとしても見栄えが悪いものにならざるを得なかった。
【０００６】
したがって、自動販売機を取り扱う業界では、ゴミ箱の設置が大がかりでなく且つ、高コストにならず、また、如何なる路面条件であったとしても転倒することなく設置でき、更に、既設の自動販売機にも比較的簡単に設置できる自動販売機へのゴミ箱の取り付け構造が開発されることを待ち望んでいる。
【特許文献１】特開２００１−１０７５８７号
【発明の開示】
【発明が解決しようとする課題】
【０００７】
そこでこの発明では、ゴミ箱の設置が大がかりでなく且つ高コストにならず、また、如何なる路面条件であったとしても転倒することなく見栄え良く設置でき、更に、既設の自動販売機にも比較的簡単に設置できる自動販売機用のゴミ箱保持具を提供することを課題とする。
【課題を解決するための手段】
【０００８】
（請求項１記載の発明）
この発明は、自動販売機の側方にゴミ箱を取り付けるためのゴミ箱保持具であって、自動販売機の底面と対面する座板及び自動販売機の側面と対面する背板を有するＬ字状の基板と、前記座板の下面に垂設され且つネジ対偶により伸縮できる脚部と、前記背板に設けられ且つゴミ箱を吊り下げるための吊り下げ部とを具備している。
【０００９】
（請求項２記載の発明）
この発明は、自動販売機の側方にゴミ箱を取り付けるためのゴミ箱保持具であって、自動販売機の底面と対面する座板及び自動販売機の側面と対面する背板を有するＬ字状の基板と、前記座板の下面に垂設され且つネジ対偶により伸縮できる脚部と、前記背板に設けられ且つゴミ箱の胴部を保持する保持部を設けてある。
【００１０】
（請求項３記載の発明）
この発明の自動販売機用のゴミ箱保持具は、上記請求項１記載の発明に関し、保持部より下方に位置する背板部分に載置板を設けてある。
【００１１】
（請求項４記載の発明）
この発明の自動販売機用のゴミ箱保持具は、上記請求項１乃至３のいずれかに記載の発明に関し、基板を自動販売機の底面から側面にかけて接するようにセッティングし、下端部が設地した脚部を伸長させて座板を自動販売機の底面に押し付ける態様で、基板を自動販売機に固定するものとしている。
【発明の効果】
【００１２】
この発明の自動販売機用のゴミ箱保持具によると、ゴミ箱の設置が大がかりでなく且つ高コストにならず、また、如何なる路面条件であったとしても転倒することなく簡単に設置でき、更に、既設の自動販売機にも比較的簡単に設置できる。
【発明を実施するための最良の形態】
【００１３】
以下にこの発明の自動販売機用のゴミ箱保持具を実施するための最良の形態としての実施例について詳細に説明する。
【実施例１】
【００１４】
図１はこの発明の実施例１の自動販売機８用のゴミ箱保持具Ｓの斜視図、図２はゴミ箱保持具Ｓの脚部２の断面図、図３は前記ゴミ箱保持具Ｓによりゴミ箱９を保持させた状態を示す一部断面図を示している。
【００１５】
（自動販売機８の路面Ｒへの設置について）
自動販売機８は一般的に、図３に示すように、本体部８ａはこれの下面四隅に垂設させた脚部８ｂを介して路面に設置されている。つまり、本体部８ａを路面Ｒから１０〜２０ｃｍ程度浮かせた状態で設置されている。
【００１６】
（自動販売機８用のゴミ箱保持具Ｓについて）
この実施例の自動販売機８用のゴミ箱保持具Ｓは、図１や図３に示すように、座板１０と前記座板１０に対して直角に設けられた背板１１とから成るＬ字状の基板１と、前記座板１０の下面に垂設され且つネジ対偶により伸縮できる二本の脚部２，２と、前記背板１１に設けられ且つゴミ箱９を吊り下げるための吊り下げ部３とから構成されている。
【００１７】
基板１は、剛性の高い金属材料により構成されており、図１や図３に示すように、自動販売機８の側面８０と対面する背板１１部分には着磁力を有するシート状の磁性部材４を貼り付けてある。
【００１８】
脚部２は全体が金属材料で構成されており、図２に示すように、座板１０の下面に固定される第１雌ネジ体２０と、中間部に区画壁２１ａを有する第２雌ネジ体２１と、下端部が路面Ｒに接地する第３雌ネジ体２２と、上端部が第１雌ネジ体２０に螺入され且つ下端部が第２雌ネジ体２１に螺入される第１雄ネジ体２３と、上端部が第２雌ネジ体２１に螺入され且つ下端部が第３雌ネジ体２２に螺入される第２雄ネジ体２４とから構成されている。なお、上記区画壁２１ａよりも上側のネジ部と、区画壁２１ａよりも下側のネジ部とは所謂逆ネジとなっており、第２雌ネジ体２１を正回動すると、第２雌ネジ体２１への第１雄ネジ体２３及び第２雄ネジ体２４の螺入量は少なくなって脚部２の全長が長くなり、逆に、第２雌ネジ体２１を逆回動すると、第２雌ネジ体２１への第１雄ネジ体２３及び第２雄ネジ体２４の螺入量は大きくなって脚部２の全長が短くなる。
【００１９】
吊り下げ部３は金属材料で構成されており、図１や図３に示すように平面視長方形状の枠体により構成されている。
【００２０】
（ゴミ箱９について）
ゴミ箱９は、図３に示すように、ゴミ箱本体９０と、ゴミ投棄用孔ｈ（空き缶やペットボトル等のゴミを投入するための孔）を有する蓋体９１とから成るものであり、両者は共に開放部を構成する外壁部分に外側に張り出す鍔部９０ａ，９１ｂを具備している。
【００２１】
なお、このゴミ箱９では、ゴミ箱本体９０の胴部が上記ゴミ箱保持具Ｓの吊り下げ部３の枠内を通過できる寸法になっているが、鍔部９０ａ，９１ｂ部分は通過できない寸法となっている。
【００２２】
（自動販売機８へのゴミ箱保持具Ｓの取り付けについて）
(1) 座板１０を自動販売機８の底面８１と、背板１１に貼り付けたシート状の磁性部材４を自動販売機８の側面８０と、それぞれ対面させる態様で、基板１を自動販売機８の底面８１から側面８０にかけて接するようにセッティングする。この状態では、背板１１は磁性部材４を介して自動販売機８に磁着している。
(2) 第３雌ネジ体２２が回動しないようにしながら第２雌ネジ体２１を正回動させ、第３雌ネジ体２２の下端が路面Ｒに接地するまで、前記行為を継続する。
(3) 第３雌ネジ体２２の下端が路面Ｒに接地すると、第２雌ネジ体２１の回動抵抗は大きくなるが、継続して第２雌ネジ体２１を正回動させる。すると、座板１０が自動販売機８の底面に押し付ける態様で、基板１は自動販売機８に固定される。
【００２３】
つまり、このゴミ箱保持具Ｓは、磁性部材４を介した背板１１の自動販売機８への磁着力、及び脚部２から作用する座板１０の自動販売機８への押圧力により、自動販売機８に強固に取り付けられる。
【００２４】
（このゴミ箱保持具Ｓを使用した場合の優れた効果について）
(1) 上記した如くゴミ箱保持具１は、基板１と、脚部２と、吊り下げ部３と磁性部材４という僅かな部材でできており、上述した如く自動販売機８への取り付け作業が非常に簡単である。つまり、このゴミ箱保持具１は大がかりでなく、高コストにならない。また、前記の如く大がかりではないので見栄えもよくゴミ箱９を設置できる。
(2) 図３に示す如く設置される路面Ｒの条件等が悪くても、ゴミ箱９は吊り下げ部３に吊り下げられる態様で保持されるので、自動販売機８が適正に設置できる限りにおいては、ゴミ箱９を自動販売機８の側面側において適正に設置される。また、強風時や地震時においても、自動販売機８が転倒しない限りゴミ箱９が転倒するようなことがない。
(3) （自動販売機８へのゴミ箱保持具Ｓの取り付けについて）の欄に記載したように、既設の自動販売機８にも簡単に設置できる。
【００２５】
（類似する形態のゴミ箱保持具１について）
図４は上記実施例に類似する自動販売機８用のゴミ箱保持具Ｓの斜視図、図５は前記ゴミ箱保持具Ｓによりゴミ箱９を保持させた状態を示す一部断面図を示している。
【００２６】
このゴミ箱保持具１は、基本的には上記した形態のものと同じであるが、図４や図５に示すように、背板１１に、ゴミ箱９の胴部の水平方向への移動を規制する保持枠５（保持部）を設けると共に、前記保持枠５の下方にゴミ箱９を載せ置く載置板６を設けてある。
【実施例２】
【００２７】
図６はこの発明の実施例２の自動販売機８用のゴミ箱保持具Ｓの斜視図、図７は前記ゴミ箱保持具Ｓによりゴミ箱９を保持させた状態を示す一部断面図を示している。
【００２８】
この実施例２のゴミ箱保持具Ｓは、図６や図７に示すように、基板１、脚部２及び吊り下げ部３を有している点は上記実施例１と全く同様であるが、この実施例２は、長方形状の吊り下げ部３の三辺から前面板１２、横面板１３及び後面板１４を垂設させて、当該前面板１２、横面板１３及び後面板１４並びに背板１１により箱体を形成させている点、基板１に磁性部材４を貼り付けていない点、前記横面板１３に折曲片１３ａを設けると共に前記折曲片１３ａの下面に脚部２’，２’（脚部２，２と同じ構成）を垂設した点で、実施例１と相違している。
【００２９】
ここで、この実施例２のゴミ箱保持具Ｓでは、図６や図７に示すように、基板１に磁性部材４を貼り付けていないが、脚部２’，２’の長さを調整することにより、路面Ｒの状態にかかわらず自動販売機８の側面に設置することができる。
【００３０】
この実施例２のゴミ箱保持具Ｓは上記のような構成であるから、実施例１のものと同様の効果を奏することは明らかである。
【００３１】
（類似する形態のゴミ箱保持具１について）
図８は上記実施例に類似する自動販売機８用のゴミ箱保持具Ｓの斜視図、図９は前記ゴミ箱保持具Ｓによりゴミ箱９を保持させた状態を示す一部断面図を示している。
【００３２】
このゴミ箱保持具１は、基本的には上記した形態のものと同じであるが、図８や図９に示すように、背板１１に、ゴミ箱９の胴部の水平方向への移動を規制する保持枠５（保持部）を設けると共に、前記保持枠５の下方にゴミ箱９を載せ置く載置板６を設けてある。
【００３３】
（実施例１、２以外の形態について）
上記実施例１では、基板１の背板１１にシート状の磁性部材４を貼り付けるようにしたが、背板１１にシート状の磁性部材４を貼り付けないようにしてもよい。
【００３４】
上記実施例２では、基板１の背板１１にシート状の磁性部材４を貼り付けていないが、背板１１にシート状の磁性部材４を貼り付けるようにしてもよい。
【００３５】
上記ゴミ箱保持具Ｓにおいて保持枠５を有し、載置板６を設けないものとしてもよい。この場合、路面にゴミ箱９を置くようにする態様で、ゴミ箱９を保持枠５で保持すれば、ゴミ箱９は不用意には転倒しない。
【図面の簡単な説明】
【００３６】
【図１】この発明の実施例１の自動販売機用のゴミ箱保持具の斜視図。
【図２】前記記ゴミ箱保持具の脚部の断面図。
【図３】前記ゴミ箱保持具によりゴミ箱を保持させた状態を示す一部断面図。
【図４】実施例１に類似する自動販売機用のゴミ箱保持具の斜視図。
【図５】実施例１に類似するゴミ箱保持具によりゴミ箱を保持させた状態を示す一部断面図。
【図６】この発明の実施例２の自動販売機用のゴミ箱保持具の斜視図。
【図７】前記ゴミ箱保持具によりゴミ箱を保持させた状態を示す一部断面図。
【図８】実施例２に類似する自動販売機用のゴミ箱保持具の斜視図。
【図９】実施例２に類似するゴミ箱保持具によりゴミ箱を保持させた状態を示す一部断面図。
【符号の説明】
【００３７】
８        自動販売機
９        ゴミ箱
Ｓ        ゴミ箱保持具
１        基板
２        脚部
３        吊り下げ部
４        磁性部材
５        保持部
１０      座板
１１      背板
２０      第１雌ネジ体
２１      第２雌ネジ体
２１ａ    区画壁
２２      第３雌ネジ体
２３      第１雄ネジ体
２４      第２雄ネジ体
【図１】
2006011559.tif 000003
【図２】
2006011559.tif 000004
【図３】
2006011559.tif 000005
【図４】
2006011559.tif 000006
【図５】
2006011559.tif 000007
【図６】
2006011559.tif 000008
【図７】
2006011559.tif 000009
【図８】
2006011559.tif 000010
【図９】
2006011559.tif 000011